(57)【要約】【課題】  設定される画像の色が所定の色再現域から外れているか否かを判定する。【解決手段】  色Ａが印刷装置色域内にあり、色Ｂが印刷装置色域外にある場合、代替色探索処理部５３２は、グラデーションの色Ｂ側の印刷装置色域外の色（色域外色）を全て抽出する。また、印刷装置色域外郭に対する最小色差が最大であるグラデーションの色は、色Ｂである。したがって、代替色探索処理部５３２は、色Ｂを特定色として抽出し、色Ｂが印刷装置色域内に含まれるように、グラデーション用ファイルを変更する。例えば、代替色探索処理部５３２は、色Ａを軸として、グラデーションの色域線分が印刷装置色域側に回転するようにグラデーション用ファイルを変更することにより、グラデーションが有する最大色差を維持しつつ、グラデーションの色域全体を印刷装置色域内に含ませる。【選択図】          図９
2006270517.tif 000002
【特許請求の範囲】
【請求項１】
画像にかけられるグラデーションの色域を設定し、設定された色域が所定の色再現域から外れているか否かを判定することを特徴とする画像処理方法。
【請求項２】
設定された色域が所定の色再現域から外れている場合に、警告を出力することを特徴とする請求項１記載の画像処理方法。
【請求項３】
設定された色域が所定の色再現域から外れている場合、設定された色域が所定の色再現域内に含まれるように、グラデーションの色域の設定を変更することを特徴とする請求項１又は２記載の画像処理方法。
【請求項４】
設定された色域が所定の色再現域から外れている場合、グラデーションの最大色差が維持されるように、グラデーションの色域の設定を変更することを特徴とする請求項３記載の画像処理方法。
【請求項５】
Ｒ，Ｇ，Ｂの値が規定された少なくとも２つの色に基づいてグラデーションの色域を設定することを特徴とする請求項１乃至４いずれか記載の画像処理方法。
【請求項６】
Ｃ，Ｍ，Ｙの値が規定された少なくとも２つの色に基づいてグラデーションの色域を設定することを特徴とする請求項１乃至４いずれか記載の画像処理方法。
【請求項７】
デバイス非依存の色座標によって規定された少なくとも２つの色に基づいてグラデーションの色域を設定することを特徴とする請求項１乃至４いずれか記載の画像処理方法。
【請求項８】
画像にかけられるグラデーションの色域を設定するグラデーション色域設定手段と、このグラデーション色域設定手段が設定した色域が所定の色再現域から外れているか否かを判定する色域判定手段とを有することを特徴とする画像処理システム。
【請求項９】
前記グラデーション色域設定手段が設定した色域が所定の色再現域から外れている場合に、警告を出力する警告出力手段をさらに有することを特徴とする請求項８記載の画像処理システム。
【請求項１０】
前記グラデーション色域設定手段が設定した色域が所定の色再現域から外れている場合、前記グラデーション色域設定手段が設定した色域が所定の色再現域内に含まれるように、グラデーションの色域の設定を変更する設定変更手段をさらに有することを特徴とする請求項８又は９記載の画像処理システム。
【請求項１１】
前記設定変更手段は、グラデーションの最大色差が維持されるように、グラデーションの色域の設定を変更することを特徴とする請求項１０記載の画像処理システム。
【請求項１２】
前記グラデーション色域設定手段は、Ｒ，Ｇ，Ｂの値が規定された少なくとも２つの色に基づいてグラデーションの色域を設定することを特徴とする請求項８乃至１１いずれか記載の画像処理システム。
【請求項１３】
前記グラデーション色域設定手段は、Ｃ，Ｍ，Ｙの値が規定された少なくとも２つの色に基づいてグラデーションの色域を設定することを特徴とする請求項８乃至１１いずれか記載の画像処理システム。
【請求項１４】
前記グラデーション色域設定手段は、デバイス非依存の色座標によって規定された少なくとも２つの色に基づいてグラデーションの色域を設定することを特徴とする請求項８乃至１１いずれか記載の画像処理システム。
【請求項１５】
前記色域判定手段は、設定されたグラデーションの色域が画像印刷装置の色再現域から外れているか否かを判定することを特徴とする請求項８乃至１４いずれか記載の画像処理システム。
【発明の詳細な説明】
【技術分野】
【０００１】
本発明は、画像の色を処理する画像処理方法及び画像処理システムに関するものである。
【背景技術】
【０００２】
ＣＲＴなどのモニタに表示された画像のＲＧＢデータを用いて画像を印刷する場合、印刷された画像の色がモニタで確認された画像の色と異なるために、印刷物の色がユーザの意図するものとは異なってしまうという問題があった。そこで、ＲＧＢデータを印刷用のＣＭＹＫデータに変換し、さらに印刷色シミュレーションデータに変換して、印刷物の画像の色を確認することは公知である（特許文献１参照）。
【０００３】
【特許文献１】特開２００３−３１９１９０号公報
【発明の開示】
【発明が解決しようとする課題】
【０００４】
しかしながら、上記従来例においては、編集画像を出力してみなければ印刷物の画像の色を確認することができず、特にグラデーションなどのように設定によって画像の色を生成した場合には、色調整が困難であるという問題があった。
【０００５】
そこで、本発明は、設定される画像の色が所定の色再現域から外れているか否かを判定することができる画像処理方法及び画像処理装置を提供することを目的とする。
【課題を解決するための手段】
【０００６】
上記目的を達成するため、本発明の第１の特徴とするところは、画像にかけられるグラデーションの色域を設定し、設定された色域が所定の色再現域から外れているか否かを判定する画像処理方法にある。即ち、グラデーションの色域は、設定されることによって、所定の色再現域に対して比較可能になるので、所定の色再現域から外れているか否かを判定可能になる。
【０００７】
好適には、設定された色域が所定の色再現域から外れている場合に、警告を出力する。したがって、ユーザは、設定された色域が所定の色再現域から外れていることを警告によって把握することができる。
【０００８】
また、好適には、設定された色域が所定の色再現域から外れている場合、設定された色域が所定の色再現域内に含まれるように、グラデーションの色域の設定を変更する。したがって、画像にかけられるグラデーションの色域が所定の色再現域から外れて設定されることを防止することができる。
【０００９】
また、好適には、設定された色域が所定の色再現域から外れている場合、グラデーションの最大色差が維持されるように、グラデーションの色域の設定を変更する。即ち、画像にかけられるグラデーションの色域が所定の色再現域内に含まれるように変更されても、グラデーションが有する色差を維持することができる。
【００１０】
また、好適には、Ｒ，Ｇ，Ｂの値が規定された少なくとも２つの色に基づいてグラデーションの色域を設定する。即ち、表示装置によって表示されるグラデーションの設定が容易になる。
【００１１】
また、好適には、Ｃ，Ｍ，Ｙの値が規定された少なくとも２つの色に基づいてグラデーションの色域を設定する。したがって、印刷装置によってグラデーションが印刷される場合に、色の推移を滑らかにすることができる。
【００１２】
また、好適には、デバイス非依存の色座標によって規定された少なくとも２つの色に基づいてグラデーションの色域を設定する。したがって、色相及び彩度の変化を滑らかにすることを容易にすることができる。
【００１３】
また、本発明の第２の特徴とするところは、画像にかけられるグラデーションの色域を設定するグラデーション色域設定手段と、このグラデーション色域設定手段が設定した色域が所定の色再現域から外れているか否かを判定する色域判定手段とを有する画像処理システムにある。即ち、グラデーション色域設定手段がグラデーションの色域を設定することによって、所定の色再現域に対して比較可能になり、色域判定手段は、グラデーションの色域が所定の色再現域から外れているか否かを判定することができる。
【００１４】
好適には、前記グラデーション色域設定手段が設定した色域が所定の色再現域から外れている場合に、警告を出力する警告出力手段をさらに有する。したがって、警告出力手段が警告を出力することにより、ユーザは、設定された色域が所定の色再現域から外れていることを把握することができる。
【００１５】
また、好適には、前記グラデーション色域設定手段が設定した色域が所定の色再現域から外れている場合、前記グラデーション色域設定手段が設定した色域が所定の色再現域内に含まれるように、グラデーションの色域の設定を変更する設定変更手段をさらに有する。したがって、設定変更手段がグラデーションの色域の設定を変更することにより、画像にかけられるグラデーションの色域が所定の色再現域から外れることを防止することができる。
【００１６】
また、好適には、前記設定変更手段は、グラデーションの最大色差が維持されるように、グラデーションの色域の設定を変更する。即ち、画像にかけられるグラデーションの色域が所定の色再現域内に含まれるように変更されても、グラデーションが有する色差を維持することができる。
【００１７】
また、好適には、前記グラデーション色域設定手段は、Ｒ，Ｇ，Ｂの値が規定された少なくとも２つの色に基づいてグラデーションの色域を設定する。即ち、表示装置によって表示されるグラデーションの設定が容易になる。
【００１８】
また、好適には、前記グラデーション色域設定手段は、Ｃ，Ｍ，Ｙの値が規定された少なくとも２つの色に基づいてグラデーションの色域を設定する。したがって、印刷装置によってグラデーションが印刷される場合に、色の推移を滑らかにすることができる。
【００１９】
また、好適には、前記グラデーション色域設定手段は、デバイス非依存の色座標によって規定された少なくとも２つの色に基づいてグラデーションの色域を設定する。したがって、色相及び彩度の変化を滑らかにすることを容易にすることができる。
【００２０】
また、好適には、前記色域判定手段は、設定されたグラデーションの色域が画像印刷装置の色再現域から外れているか否かを判定する。したがって、印刷される画像に対して設定されたグラデーションの色域が所定の色再現域から外れることを防止することができる。
【発明の効果】
【００２１】
本発明によれば、設定される画像の色が所定の色再現域から外れているか否かを判定することができる。
【発明を実施するための最良の形態】
【００２２】
次に本発明の実施形態を図面に基づいて説明する。
図１において、本発明の実施形態に係る画像処理システム１の概要が示されている。画像処理システム１は、例えば編集装置２がネットワーク３を介して印刷装置４−１〜４−ｎなどの複数の画像出力装置に接続されることによって構成される。印刷装置４−１〜４−ｎは、それぞれ異なる出力特性を有し、編集装置２の制御によって、用紙などの記録媒体にカラー画像を印刷するプリンタ又は印刷機である。なお、画像処理システム１には、画像を表示する画像表示装置が画像出力装置の１つとして設けられてもよい。
以下、画像処理システム１において、印刷装置４−１〜４−ｎは、台数を２台（ｎ＝２）とした場合を具体例として説明する。
【００２３】
図２において、編集装置２の構成が示されている。
編集装置２は、例えばＰＣ（Personal Computer）などであり、入力部２０、表示部（ディスプレイ）２２、記憶部２４、通信部２６及び編集装置本体２８から構成され、印刷装置４−１，４−２を制御する。入力部２０は、キーボード及びマウスなどの入力装置を有し、画像処理システム１に対するユーザの指示を受入れる。表示部２２は、ＣＲＴ表示装置又はＬＣＤ表示装置であり、編集装置２における処理結果、及び印刷装置４−１，４−２などから受入れた信号に対する表示を行なう。つまり、画像処理システム１において、表示部２２は、画像出力装置の１つである。
【００２４】
記憶部２４は、画像処理システム１を構成する各部を制御するプログラム並びに表示部２２及び印刷装置４−１，４−２のデバイスプロファイル（プロファイルデータベース）などを記憶すると共に、画像処理システム１に対する設定及び編集装置２によって作成されたファイルなどを記憶する。通信部２６は、ネットワーク３を介して印刷装置４−１，４−２と編集装置本体２８とを接続する。編集装置本体２８は、ＣＰＵ２８０及びメモリ２８２を有し、編集装置２を構成する各部を制御する。
【００２５】
図３において、グラデーション用ファイル登録プログラム５の構成が示されている。
グラデーション用ファイル登録プログラム５は、データベース部５０及び処理判断部５２からから構成され、画像を処理するグラフィックツール（画像処理ソフトウェア）に組み込まれて、図１に示した編集装置２により実行される。
【００２６】
データベース部５０は、プロファイルデータベース５００及びグラデーション用ファイルデータベース５０２を有する。プロファイルデータベース５００は、表示部２２及び印刷装置４−１，４−２などのデバイスプロファイル（プロファイル）を含み、デバイスプロファイルごとにファイル名が付けられて記憶部２４に記憶されている。なお、デバイスプロファイルそれぞれは、デバイスに依存する色空間とデバイスに非依存の色空間との間で、色座標を相互に変換することができるようにされている。
【００２７】
グラデーション用ファイルデータベース５０２は、グラデーションの開始色、終了色及びパターン（色の推移方法）などを定義するグラデーション用ファイル（条件設定済みデータ）がそれぞれファイル名（登録名称）を付けられて記憶部２４に記憶されている。なお、グラデーション用ファイルデータベース５０２には、予め記憶部２４に記憶されているグラデーション用ファイルと、ユーザが登録するグラデーション用ファイルとが含まれる。
【００２８】
処理判断部５２は、設定条件取得部５２０、グラデーション用ファイル作成部５２２、判定判断部５２４、登録部５２６、色域外判定処理部５２８、処理結果判定部５３０、代替色探索処理部５３２及び表示制御部５３４から構成される。
設定条件取得部５２０は、入力部２０を介して入力される設定に応じて、プロファイルデータベース５００からデバイスプロファイルを受け入れ、グラデーション用ファイルデータベース５０２からグラデーション用ファイルを受入れて、グラデーション用ファイル作成部５２２、判定判断部５２４、色域外判定処理部５２８、処理結果判定部５３０及び代替色探索処理部５３２に対して所定の設定条件を出力する。
【００２９】
図４は、グラデーション用ファイル登録プログラム５が実行されることにより、表示部２２に表示される画面例であって、（Ａ）はカラー環境設定画面６０を示し、（Ｂ）はグラデーションの作成条件入力画面６２を示す画面である。
例えば、設定条件取得部５２０は、図４（Ａ）に示されたカラー環境(条件）設定画面６０、及び、図４（Ｂ）に示されたグラデーションの作成条件入力画面６２などの表示部２２に表示された画面に応じて、ユーザが入力部２０のマウスなどを介して設定を行うことにより、グラデーション用ファイル登録プログラム５における所定の条件を取得する。カラー環境設定画面６０には、表示部２２に対して用いられる複数のプロファイルから任意のプロファイルを選択するための表示プロファイル選択部６００、印刷装置４−１，４−２いずれかのプロファイルを選択するための印刷プロファイル選択部６０２、及び、選択された設定を受け入れて編集装置本体２８に対して出力するための設定入力受付部６０４が設けられている。なお、画像処理システム１は、例えば画像の印刷による出力を基準としてグラデーションの色を処理するようにされており、印刷プロファイル選択部６０２を介して設定された印刷装置４−１，４−２いずれかの色再現域が画像処理システム１における基準色域となる。
【００３０】
作成条件入力画面６２は、登録名称入力部６２０、色設定部６２２、推移方法設定部６２４、判定設定部６２６、提示設定部６２８及び作成入力受付部６３０から構成される。登録名称入力部６２０は、グラデーション用ファイルのファイル名（登録名称）の入力を受入れるための入力受け入れ表示である。色設定部６２２は、Ｒ，Ｇ，Ｂの階調数又はスポイト機能によってグラデーションの開始色（色Ａ）と終了色（色Ｂ）とをそれぞれ設定するための入力受け入れ表示である。
なお、開始色（色Ａ）と終了色（色Ｂ）とは、例えばグラデーションの色が線形に推移する場合、グラデーションにおける色差が最大（最大色差）になる。
【００３１】
推移方法設定部６２４は、開始色から終了色までの色の推移方法の詳細を設定するための入力受け入れ表示である。
例えばＲＧＢ色空間でグラデーションを作成する場合、色Ａ（ＲＡ，ＧＡ，ＢＡ）と色Ｂ（ＲＢ，ＧＢ，ＢＢ）との間に位置する点ｘ（０≦ｘ≦１）の色（Ｒｘ，Ｇｘ，Ｂｘ）は、ｘの関数ｆ（ｘ）を用いて、下式１〜３のように表される。
Ｒｘ＝（１−ｆ（ｘ））ＲＡ＋ｆ（ｘ）ＲＢ                ・・・（１）
Ｇｘ＝（１−ｆ（ｘ））ＧＡ＋ｆ（ｘ）ＧＢ                ・・・（２）
Ｂｘ＝（１−ｆ（ｘ））ＢＡ＋ｆ（ｘ）ＢＢ                ・・・（３）
関数ｆ（ｘ）は、ｆ（０）＝０及びｆ（１）＝１の関係を満たし、推移方法設定部６２４においては、例えば新たに表示されるウィンドウ内のトーンカーブ（図示せず）などを介して任意に設定することができるようにされている。
【００３２】
また、推移方法設定部６２４は、色Ａ（ＲＡ，ＧＡ，ＢＡ）及び色Ｂ（ＲＢ，ＧＢ，ＢＢ）それぞれを、カラー環境設定画面６０を介して設定されたデバイスプロファイルにより、Ｌ＊ａ＊ｂ＊表色系の色座標による色Ａ（Ｌ＊Ａ，ａ＊Ａ，ｂ＊Ａ）及び色Ｂ（Ｌ＊Ｂ，ａ＊Ｂ，ｂ＊Ｂ）に変換し、Ｌ＊ａ＊ｂ＊色空間上でグラデーションを作成するための入力受け入れ表示にされてもよい。
例えばＬ＊ａ＊ｂ＊色空間でグラデーションを作成する場合、色Ａ（Ｌ＊Ａ，ａ＊Ａ，ｂ＊Ａ）と色Ｂ（Ｌ＊Ｂ，ａ＊Ｂ，ｂ＊Ｂ）との間に位置する点ｘ（０≦ｘ≦１）の色（Ｌ＊ｘ，ａ＊ｘ，ｂ＊ｘ）は、ｘの関数ｆ（ｘ）を用いて、下式４〜６のように表される。
Ｌ＊ｘ＝（１−ｆ（ｘ））Ｌ＊Ａ＋ｆ（ｘ）Ｌ＊Ｂ          ・・・（４）
ａ＊ｘ＝（１−ｆ（ｘ））ａ＊Ａ＋ｆ（ｘ）ａ＊Ｂ          ・・・（５）
ｂ＊ｘ＝（１−ｆ（ｘ））ｂ＊Ａ＋ｆ（ｘ）ｂ＊Ｂ          ・・・（６）
関数ｆ（ｘ）は、ｆ（０）＝０及びｆ（１）＝１の関係を満たし、推移方法設定部６２４においては、例えば新たに表示されるウィンドウ内のトーンカーブ（図示せず）などを介して任意に設定することができるようにされている。
【００３３】
また、推移方法設定部６２４は、色Ａ（ＲＡ，ＧＡ，ＢＡ）及び色Ｂ（ＲＢ，ＧＢ，ＢＢ）それぞれを、カラー環境設定画面６０を介して設定されたデバイスプロファイルにより、ＣＭＹＫ（ＣＭＹ）色空間上の色Ａ（ＣＡ，ＭＡ，ＹＡ，ＫＡ）及び色Ｂ（ＣＢ，ＭＢ，ＹＢ，ＫＢ）に変換し、ＣＭＹＫ（ＣＭＹ）色空間上でグラデーションを作成するための入力受け入れ表示にされてもよい。
例えばＣＭＹＫ（ＣＭＹ）色空間でグラデーションを作成する場合、色Ａ（ＣＡ，ＭＡ，ＹＡ，ＫＡ）と色Ｂ（ＣＢ，ＭＢ，ＹＢ，ＫＢ）との間に位置する点ｘ（０≦ｘ≦１）の色（Ｃｘ，Ｍｘ，Ｙｘ，Ｋｘ）は、ｘの関数ｆ（ｘ）を用いて、下式７〜１０のように表される。
Ｃｘ＝（１−ｆ（ｘ））ＣＡ＋ｆ（ｘ）ＣＢ          ・・・（７）
Ｍｘ＝（１−ｆ（ｘ））ＭＡ＋ｆ（ｘ）ＭＢ          ・・・（８）
Ｙｘ＝（１−ｆ（ｘ））ＹＡ＋ｆ（ｘ）ＹＢ          ・・・（９）
Ｋｘ＝（１−ｆ（ｘ））ＫＡ＋ｆ（ｘ）ＫＢ          ・・・（１０）
関数ｆ（ｘ）は、ｆ（０）＝０及びｆ（１）＝１の関係を満たし、推移方法設定部６２４においては、例えば新たに表示されるウィンドウ内のトーンカーブ（図示せず）などを介して任意に設定することができるようにされている。
【００３４】
このように、グラデーションの開始色及び終了色がＲ，Ｇ，Ｂの階調数などによって設定され、且つ、開始色から終了色までの色の推移方法が設定されることにより、グラデーションの色域が設定される。なお、色設定部６２２及び推移方法設定部６２４を介して設定されるグラデーションの色域は、例えば表示部２２が色再現可能な色域内に含まれるようにされている。
【００３５】
判定設定部６２６は、例えばチェックボックスが設けられており、チェックボックスにチェックが入力された場合に後述する色域外判定を行うようにするための入力受け入れ表示である。提示設定部６２８は、判定設定部６２６にチェックが入力された場合に、後述する色域外判定の判定結果に応じてグラデーションの代替案（色域が異なるグラデーション）を作成して提示（表示）するための入力受け入れ表示である。作成入力受付部６３０は、グラデーション用ファイルに対する設定を受入れて編集装置本体２８に対して出力するための入力受け入れ表示である。
なお、設定条件取得部５２０が取得した設定、デバイスプロファイル及びグラデーション用ファイルなどは、グラデーション用ファイル登録プログラム５において、それぞれ設定条件の１つとして用いられる。
【００３６】
グラデーション用ファイル作成部５２２（図３）は、設定条件取得部５２０から受入れた設定条件に応じてグラデーション用ファイルを作成し、判定判断部５２４に対して出力する。判定判断部５２４は、設定条件取得部５２０から受入れた設定条件に応じてグラデーション用ファイルの処理方法を判定し、グラデーション用ファイル作成部５２２から受入れたグラデーション用ファイルを登録部５２６又は色域外判定処理部５２８に対して出力する。
【００３７】
登録部５２６は、入力部２０を介して入力される設定に応じて、判定判断部５２４、処理結果判定部５３０及び代替色探索処理部５３２のいずれかから受入れたグラデーション用ファイルをグラデーション用ファイルデータベース５０２に登録する。色域外判定処理部５２８は、判定判断部５２４から入力されるグラデーション用ファイルが示すグラデーションの色域と、例えば印刷装置４−１の色再現域などの所定の色域とを設定条件取得部５２０から入力される設定条件に応じて比較（色域外判定処理）し、比較結果とグラデーション用ファイルとを処理結果判定部５３０に対して出力する。
処理結果判定部５３０は、設定条件取得部５２０から入力される設定条件に応じて、色域外判定処理部５２８から入力された比較結果に基づく代替色探索を行うか否かをを判定し、登録部５２６又は代替色探索処理部５３２いずれか、及び表示制御部５３４に対して判定結果とグラデーション用ファイルとを出力する。
【００３８】
代替色探索処理部５３２は、処理結果判定部５３０から入力されたグラデーション用ファイルが示すグラデーションの色域に対する代替色（色域）を、設定条件取得部５２０を介して入力される設定に応じて探索し、登録部５２６及び表示制御部５３４に対して出力する。つまり、代替色探索処理部５３２は、処理結果判定部５３０から受入れたグラデーション用ファイルを変更し、変更されたグラデーション用ファイルを登録部５２６及び表示制御部５３４に対して出力する。
表示制御部５３４は、処理結果判定部５３０から入力される判定結果、及び、代替色探索処理部５３２から入力される探索結果に応じて表示部２２を制御する。
【００３９】
図５は、代替色探索処理部５３２が代替色（色域）を代替案として探索した場合に、表示制御部５３４が表示部２２に表示させる警告画面６４である。警告画面６４は、色域外警告部６４０、設定グラデーション見本部６４２、代替案提示部６４４、代替グラデーション見本部６４６及び登録入力受付部６４８から構成される。色域外警告部６４０は、グラデーション用ファイル作成部５２２が作成したグラデーションの色域が所定の色域内にあるか否か（処理結果判定部５３０の判定結果）を表示する。設定グラデーション見本部６４２は、グラデーション用ファイル作成部５２２が作成したグラデーションを表示部２２が表示可能な色域に応じて表示すると共に、処理結果判定部５３０が所定の色域外と判断した色域に対し、グラデーションの下部に黒線が付されるようになっている。
【００４０】
代替案提示部６４４は、提示設定部６２８（図４（Ａ））にチェックがされている場合に、代替色探索処理部５３２が探索した代替案（代替色）について、例えばＲ，Ｇ，Ｂの階調数などの説明を表示する。代替グラデーション見本部６４６は、代替色探索処理部５３２が探索した代替案のグラデーション見本を表示する。なお、代替グラデーション見本部６４６は、代替案のグラデーション見本が表示部２２によって再現されない色を含む場合には、表示部２２によって再現可能な近似色を用いて代替案のグラデーション見本を表示するようにされている。登録入力受付部６４８は、グラデーション用ファイルに対し、登録しない（やり直す）こと、グラデーション用ファイル作成部５２２が作成したグラデーション用ファイルを登録すること、又は、代替色探索処理部５３２が探索したグラデーション用ファイルを登録することのいずれかを指示する入力を受入れて編集装置本体２８に対して出力するための入力受け入れ表示である。
【００４１】
次に、編集装置２がグラデーション用ファイルを登録する処理について説明する。
図６は、編集装置２がグラデーション用ファイルを登録する処理（Ｓ１０）を示すフローチャートである。
図７は、図６に示したＳ１０の処理において、編集装置２がグラデーション用ファイルに対する条件設定を行う処理（Ｓ２０）を示すフローチャートである。
図８は、図６に示したＳ１０の処理において、設定されたグラデーション用ファイルに対し、編集装置２がグラデーションの代替色を探索する処理（Ｓ３０）を示すフローチャートである。
図６に示すように、編集装置２がグラデーション用ファイルを登録する処理（Ｓ１０）においては、まず、図７に示したグラデーション用ファイルに対する条件設定を行う処理（Ｓ２０）を行う。
【００４２】
図７に示すように、ステップ２００（Ｓ２００）において、編集装置本体２８は、カラー環境設定画面６０を介して設定されたユーザの指示により、グラデーションを作成するカラー環境として、例えば表示部２２及び印刷装置４−１のデバイスプロファイルを設定する。
【００４３】
ステップ２０２（Ｓ２０２）において、編集装置本体２８は、設定条件取得部５２０が取得した設定条件に応じてグラデーションの色（色域を含む）を設定する。
【００４４】
ステップ２０４（Ｓ２０４）において、編集装置本体２８は、グラデーションに対する色域外判定及び代替案の提示などの処理の有無の設定を行う。
【００４５】
ステップ２０６（Ｓ２０６）において、グラデーション用ファイル作成部５２２は、設定条件取得部５２０が取得した設定条件に応じてグラデーション用ファイル（条件設定済みデータ）を作成し、Ｓ１００の処理に進む。
【００４６】
ステップ１００（Ｓ１００：図６）において、編集装置本体２８は、設定されたグラデーションに対し、色域外判定を行うか否かを判断し、色域外判定を行う場合にはＳ１０２の処理に進み、色域外判定を行わない場合にはＳ１１６の処理に進む。
【００４７】
ステップ１０２（Ｓ１０２）において、色域外判定処理部５２８は、Ｓ２０６の処理で作成されたグラデーションの色域と、印刷プロファイル選択部６０２を介して選択されたデバイスプロファイルによって色再現する印刷装置４−１，４−２いずれかの色再現域とを比較（色域外判定処理）する。
【００４８】
ステップ１０４（Ｓ１０４）において、処理結果判定部５３０は、Ｓ１０２の色域外判定処理の結果に応じて、グラデーションの色域に選択された印刷装置４−１，４−２いずれかの色域（印刷装置色域）外の領域があるか否かを判定し、印刷装置色域外の領域がある場合にはＳ１０６の処理に進み、印刷装置色域外の領域がない場合にはＳ１１２の処理に進む。
【００４９】
ステップ１０６（Ｓ１０６）において、処理結果判定部５３０は、代替案の提示を行うように設定されているか否かを判断し、提示を行う場合にはＳ３０の処理に進み、提示を行わない場合にはＳ１１２の処理に進む。
【００５０】
ステップ３００（Ｓ３００：図８）において、代替色探索処理部５３２は、グラデーションの色域から印刷装置色域外の色（色域外色）を抽出する。
【００５１】
ステップ３０２（Ｓ３０２）において、代替色探索処理部５３２は、Ｓ３００の処理で抽出した色域外色それぞれの印刷装置色域外郭に対する最小色差を算出する。
【００５２】
ステップ３０４（Ｓ３０４）において、代替色探索処理部５３２は、Ｓ３０２の処理で算出した最小色差それぞれを比較し、最小色差が最大の色を特定色として抽出する。
【００５３】
ステップ３０６（Ｓ３０６）において、代替色探索処理部５３２は、例えばグラデーションが有する最大色差（最大色差の値）を維持しつつ、Ｓ３０４の処理で抽出された特定色が印刷装置色域内の色となるように、グラデーション用ファイルを変更する。
【００５４】
ステップ１０８（Ｓ１０８：図６）において、表示制御部５３４は、図５に例示した警告画面６４を代替色探索処理部５３２による探索結果として表示部２２に表示する。
【００５５】
ステップ１１０（Ｓ１１０）において、処理結果判定部５３０は、変更されたグラデーション用ファイル（代替案）の登録を行うように指示されているか否かを判断し、代替案の登録を行う場合にはＳ１１８の処理に進み、代替案の登録を行わない場合にはＳ１１４の処理に進む。
【００５６】
ステップ１１２（Ｓ１１２）において、表示制御部５３４は、処理結果判定部５３０が判定した結果を表示部２２に表示する。
【００５７】
ステップ１１４（Ｓ１１４）において、処理結果判定部５３０は、設定されたグラデーション用ファイル（原案）の登録を行うように指示されているか否かを判断し、原案の登録を行う場合にはＳ１１６の処理に進み、原案の登録を行わない場合には処理を終了する。
【００５８】
ステップ１１６（Ｓ１１６）において、登録部５２６は、設定されたグラデーション用ファイル（原案）の登録を行う。
【００５９】
ステップ１１８（Ｓ１１８）において、登録部５２６は、変更されたグラデーション用ファイル（代替案）の登録を行う。
【００６０】
なお、変更されたグラデーション用ファイル（代替案）を登録する前に、グラデーション用ファイルが変更されることによって、新たな色が印刷装置色域外の色（色域外色）になっているか否かを判定し、色域外色がない場合にグラデーション用ファイル（代替案）を登録するようにしてもよい。
【００６１】
上述したように、グラデーション用ファイル登録プログラム５は、画像を処理するグラフィックツール（画像処理ソフトウェア）に組み込まれて、図１に示した編集装置２により実行される。例えば、画像処理システム１は、表示部２２が表示する画像に対し、ユーザが入力部２０を介してグラデーションをかける領域を設定し、グラデーション用ファイル登録プログラム５によって登録されたグラデーション用ファイルをファイル名によって選択して、グラデーションの開始座標と終了座標とを指定することにより、指定された領域の各座標の色を編集装置本体２８が算出し、選択された印刷装置４−１，４−２いずれかが色再現可能な色のグラデーションを画像の指定された領域にかけた画像データを生成する。
【００６２】
次に、代替色探索処理部５３２がグラデーションの代替色を探索した結果の第１例について説明する。
図９は、印刷装置４−１の色再現域（印刷装置色域）に対するグラデーションの色域（色域線分）、及び、代替色探索処理部５３２が代替色を探索した結果の第１例を示すグラフである。
なお、図９に示したグラフは、例えばグラデーションがＬ＊ａ＊ｂ＊色空間上で作成され、Ｌ＊ａ＊ｂ＊表色系によって表された色Ａ（開始色）及び色Ｂ（終了色）の明度が同じであり、グラデーションの色が色Ａと色Ｂとの間で線形に推移する場合を例にした２次元（ａ＊ｂ＊）の色度図になっている。つまり、色Ａと色Ｂとを結ぶグラデーションの色域線分の長さは、グラデーションの最大色差になっている。
【００６３】
図９に示すように、色Ａが印刷装置色域内にあり、色Ｂが印刷装置色域外にある場合、代替色探索処理部５３２は、グラデーションの色Ｂ側の印刷装置色域外の色（色域外色）を全て抽出する。また、印刷装置色域外郭に対する最小色差が最大であるグラデーションの色は、色Ｂである。したがって、代替色探索処理部５３２は、色Ｂを特定色として抽出し、色Ｂが印刷装置色域内に含まれるように、グラデーション用ファイルを変更する。
例えば、代替色探索処理部５３２は、色Ａを軸として、グラデーションの色域線分が印刷装置色域側に回転するようグラデーション用ファイルを変更することにより、グラデーションが有する最大色差を維持しつつ、グラデーションの色域全体を印刷装置色域内に含ませる。また、代替色探索処理部５３２は、色Ｂに対する色の変更が最小になるように、色Ｂに対して色差が最小である印刷装置色域内の色に色Ｂを変更し、色域線分全体が印刷装置色域内に平行移動するように、グラデーション用ファイルを変更してもよい。
【００６４】
次に、代替色探索処理部５３２がグラデーションの代替色を探索した結果の第２例について説明する。
図１０は、印刷装置４−１の色再現域（印刷装置色域）に対するグラデーションの色域（色域線分）、及び、代替色探索処理部５３２が代替色を探索した結果の第２例を示すグラフである。
なお、図１０に示したグラフは、例えばグラデーションがＬ＊ａ＊ｂ＊色空間上で作成され、Ｌ＊ａ＊ｂ＊表色系によって表された色Ａ（開始色）及び色Ｂ（終了色）の明度が同じであり、グラデーションの色が色Ａと色Ｂとの間で線形に推移する場合を例にした２次元（ａ＊ｂ＊）の色度図になっている。つまり、色Ａと色Ｂとを結ぶグラデーションの色域線分の長さは、グラデーションの最大色差になっている。
【００６５】
図１０に示すように、色Ａ及び色Ｂが印刷装置色域内にあり、色Ａと色Ｂとの間の色Ｃ近傍の色が印刷装置色域外にある場合、代替色探索処理部５３２は、グラデーションの色Ｃ近傍の印刷装置色域外の色（色域外色）を全て抽出する。また、印刷装置色域外郭に対する最小色差が最大であるグラデーションの色は、色Ｃである。したがって、代替色探索処理部５３２は、色Ｃを特定色として抽出し、色Ｃが印刷装置色域内に含まれるように、グラデーション用ファイルを変更する。
例えば、代替色探索処理部５３２は、色Ｃが印刷装置色域内の色に変更されるように、色Ａ又は色Ｂを軸としてグラデーションの色域線分が印刷装置色域側に回転するようグラデーション用ファイルを変更することにより、グラデーションが有する最大色差を維持しつつ、グラデーションの色域全体を印刷装置色域内に含ませる。色Ａを軸としてグラデーション用ファイルを変更した場合、色Ｂは、例えば色Ｂ’に変更される。色Ｂを軸としてグラデーション用ファイルを変更した場合、色Ａは、例えば色Ａ’に変更される。
【００６６】
また、代替色探索処理部５３２が、色Ａと色Ａ’の色差△Ｅと、色Ｂと色Ｂ’の色差△Ｅ’とを比較し、色差△Ｅ又は色差△Ｅ’のいずれか小さい色差を選択することなどにより、色Ａ又は色Ｂのいずれか１つが軸として選択されてもよい。
【００６７】
また、代替色探索処理部５３２は、色Ｃに対する色の変更が最小になるように、色Ｃに対して色差が最小である印刷装置色域内の色Ｃ’に色Ｃを変更し、色域線分全体が印刷装置色域内に平行移動するように、グラデーション用ファイルを変更してもよい。
【００６８】
次に、代替色探索処理部５３２がグラデーションの代替色を探索した結果の第３例について説明する。
編集装置２が、ＲＧＢ色空間上でグラデーションの開始色（色Ａ）及び終了色（色Ｂ）を設定し、色Ａ及び色Ｂを色域圧縮することなくＣＭＹＫ色空間上の色座標に変換して、ＣＭＹＫ色空間上でグラデーションを作成した後に、印刷装置色域外の色を印刷装置色域にクリッピングするようにしてもよい。
例えば、グラデーション用ファイル作成部５２２がＲＧＢ色空間上で設定された色Ａ（開始色）及び色Ｂ（終了色）を色域圧縮することなくＣＭＹＫ色空間上の色座標に変換して、ＣＭＹＫ色空間上でグラデーションを作成した結果として、８ｂｉｔ階調のＣＭＹＫによって表された色ＢのＣＭＹＫの階調数が（−２，２４５，２５７，１２７）である場合、代替色探索処理部５３２は、色ＢのＣＭＹＫの階調数を（０，２４５，２５５，１２７）に変更し、グラデーション用ファイルを作成する。
【００６９】
また、表示部２２に表示される色の見えと、印刷装置４−１，４−２が印刷する色の見えとを一致させるために、表示部２２の色再現域と印刷装置４−１，４−２の色再現域との共通色域にグラデーションの色域が含まれるように、グラデーション用ファイルを変更するようにしてもよい。
【図面の簡単な説明】
【００７０】
【図１】本発明の実施形態に係る画像処理システムの概要を示す構成図である。
【図２】編集装置の構成を示す構成図である。
【図３】グラデーション用ファイル登録プログラムの構成を示すプログラム構成図である。
【図４】グラデーション用ファイル登録プログラムが実行されることにより、表示部に表示される画面例であって、（Ａ）はカラー環境設定画面を示し、（Ｂ）はグラデーションの作成条件入力画面を示す画面である。
【図５】代替色探索処理部が代替色（色域）を代替案として探索した場合に、表示制御部が表示部に表示させる警告画面である。
【図６】編集装置がグラデーション用ファイルを登録する処理（Ｓ１０）を示すフローチャートである。
【図７】図６に示したＳ１０の処理において、編集装置がグラデーション用ファイルに対する条件設定を行う処理（Ｓ２０）を示すフローチャートである。
【図８】図６に示したＳ１０の処理において、設定されたグラデーション用ファイルに対し、編集装置がグラデーションの代替色を探索する処理（Ｓ３０）を示すフローチャートである。
【図９】印刷装置の色再現域（印刷装置色域）に対するグラデーションの色域（色域線分）、及び、代替色探索処理部が代替色を探索した結果の第１例を示すグラフである。
【図１０】印刷装置の色再現域（印刷装置色域）に対するグラデーションの色域（色域線分）、及び、代替色探索処理部が代替色を探索した結果の第２例を示すグラフである。
【符号の説明】
【００７１】
１・・・画像処理システム
２・・・編集装置
２０・・・入力部
２２・・・表示部
２４・・・記憶部
２６・・・通信部
２８・・・編集装置本体
２８０・・・ＣＰＵ
３・・・ネットワーク
４−１〜４−ｎ・・・印刷装置
５・・・グラデーション用ファイル登録プログラム
５０・・・処理判断部
５００・・・プロファイルデータベース
５０２・・・グラデーション用ファイルデータベース
５２・・・処理判断部
５２０・・・設定条件取得部
５２２・・・グラデーション用ファイル作成部
５２４・・・判定判断部
５２６・・・登録部
５２８・・・色域外判定処理部
５３０・・・処理結果判定部
５３２・・・代替色探索処理部
５３４・・・表示制御部
６０・・・カラー環境設定画面
６２・・・作成条件入力画面
６４・・・警告画面
【図１】
2006270517.tif 000003
【図２】
2006270517.tif 000004
【図３】
2006270517.tif 000005
【図４】
2006270517.tif 000006
【図５】
2006270517.tif 000007
【図６】
2006270517.tif 000008
【図７】
2006270517.tif 000009
【図８】
2006270517.tif 000010
【図９】
2006270517.tif 000011
【図１０】
2006270517.tif 000012